(57)【要約】  室内機（１）、室外機（２）、および室内機（１）に空調制御の指令をするリモートコントローラ（３）を含む空気調和機（４）であって、室内機（１）において冷媒の漏洩の異常である第１の異常を検出する漏洩センサ（１３）と、第１の異常以外の異常である第２の異常を検出するセンサ（１４，２３）と、空気調和機（４）が空調制御をしている運転時は漏洩センサ（１３）およびセンサ（１４，２３）を動作させ、空気調和機（４）が空調制御をしていない非運転時は漏洩センサ（１３）を動作させる制御部（１２）と、を備える。
2017195367.tif 000002
【特許請求の範囲】
【請求項１】
室内機、室外機、および前記室内機に空調制御の指令をするリモートコントローラを含む空気調和機であって、
前記室内機において冷媒の漏洩の異常である第１の異常を検出する第１のセンサと、
前記第１の異常以外の異常である第２の異常を検出する第２のセンサと、
前記空気調和機が空調制御をしている運転時は前記第１のセンサおよび前記第２のセンサを動作させ、前記空気調和機が空調制御をしていない非運転時は前記第１のセンサを動作させる制御部と、
を備えることを特徴とする空気調和機。
【請求項２】
前記制御部は、前記第１の異常または前記第２の異常を、前記室内機、前記室外機、または前記リモートコントローラが備える表示部に表示させる、
ことを特徴とする請求項１に記載の空気調和機。
【請求項３】
前記制御部は、前記第１の異常が検出された場合、前記室内機が備えるファンが停止しているときは前記ファンを駆動させる制御を行う、
ことを特徴とする請求項１または２に記載の空気調和機。
【請求項４】
前記空気調和機が非運転時において前記第１のセンサを動作させる期間の情報を含む制御情報を記憶する記憶部、
を備え、
前記制御部は、前記空気調和機が非運転時の場合、前記制御情報を参照し、前記第１のセンサを連続して、または間欠的に動作させる、
ことを特徴とする請求項１から３のいずれか１つに記載の空気調和機。
【請求項５】
前記制御部は、前記空気調和機が稼働してからの期間によって、前記第１のセンサを連続して、または間欠的に動作させる、
ことを特徴とする請求項４に記載の空気調和機。
【請求項６】
前記制御部は、前記第１のセンサにおいて前回計測された冷媒の漏洩量によって、前記第１のセンサを連続して、または間欠的に動作させる、
ことを特徴とする請求項４に記載の空気調和機。
【請求項７】
前記第１のセンサは、ガスセンサ、または、前記冷媒が流れる配管に設置され、前記配管の温度変化により前記冷媒の漏洩を検出するサーミスタである、
ことを特徴とする請求項１から６のいずれか１つに記載の空気調和機。
【請求項８】
室内機、室外機、および前記室内機に空調制御の指令をするリモートコントローラを含む空気調和機であって、
前記空気調和機で発生する異常について、異常毎の重要度が設定されている場合に、
規定された重要度より大きい重要度の高い異常である第１の異常を検出する第１のセンサと、
前記規定された重要度より小さく、前記第１の異常より重要度の低い第２の異常を検出する第２のセンサと、
前記空気調和機が空調制御をしている運転時は前記第１のセンサおよび前記第２のセンサを動作させ、前記空気調和機が空調制御をしていない非運転時は前記第１のセンサを動作させる制御部と、
を備えることを特徴とする空気調和機。
【発明の詳細な説明】
【技術分野】
【０００１】
本発明は、冷媒の漏洩を検出する空気調和機に関する。
【背景技術】
【０００２】
オゾン層を破壊する環境問題の対策のため、空気調和機で使用される冷媒は、従来のフロンからＲ３２などに切り替えられている。Ｒ３２は、フロンと異なり可燃性の冷媒である。空気調和機からＲ３２が漏洩した場合、フロンが漏洩した場合とは異なる問題が発生する可能性がある。特許文献１には、空気調和機は、冷媒漏れ検知装置を備え、冷媒漏れを検知した場合に使用者に警告する技術が開示されている。
【先行技術文献】
【特許文献】
【０００３】
【特許文献１】特開平７−１５９０１０号公報
【発明の概要】
【発明が解決しようとする課題】
【０００４】
しかしながら、特許文献１に記載の空気調和機は、輸送中および空調制御をしていない非運転時も蓄電池で冷媒漏れ検知装置を動作させて冷媒漏れを検知可能であるが、蓄電池が切れた場合は蓄電池を交換しないと通常の空調制御の運転もできない。そのため、蓄電池が切れて空調制御の運転ができない場合に使用者が故障と誤認する可能性があり、使用者にとって利便性が悪い、という問題があった。【０００５】
本発明は、上記に鑑みてなされたものであって、使用者の利便性を損ねることなく、空調制御の非運転時において冷媒の漏洩を検出可能な空気調和機を得ることを目的とする。
【課題を解決するための手段】
【０００６】
上述した課題を解決し、目的を達成するために、本発明に係る空気調和機は、室内機、室外機、および室内機に空調制御の指令をするリモートコントローラを含む。空気調和機は、室内機において冷媒の漏洩の異常である第１の異常を検出する第１のセンサを備える。また、空気調和機は、第１の異常以外の異常である第２の異常を検出する第２のセンサを備える。また、空気調和機は、空気調和機が空調制御をしている運転時は第１のセンサおよび第２のセンサを動作させ、空気調和機が空調制御をしていない非運転時は第１のセンサを動作させる制御部を備えることを特徴とする。
【発明の効果】
【０００７】
本発明に係る空気調和機は、使用者の利便性を損ねることなく、空調制御の非運転時において冷媒の漏洩を検出できる、という効果を奏する。
【図面の簡単な説明】
【０００８】
【図１】実施の形態１に係る空気調和機の構成例を示す図
【図２】実施の形態１に係る空気調和機を構成する室内機、室外機、およびリモコンの構成例を示すブロック図
【図３】実施の形態１に係る空気調和機において、空気調和機に発生する異常を検出する処理を示すフローチャート
【図４】実施の形態１にかかる室内機の処理回路をＣＰＵおよびメモリで構成する場合の例を示す図
【図５】実施の形態１にかかる室内機の処理回路を専用のハードウェアで構成する場合の例を示す図
【図６】一般的な電気製品などにおける故障率の推移を示す図
【図７】実施の形態２において制御部が漏洩センサに供給する電力量のイメージを示す図
【図８】実施の形態２に係る空気調和機において、空気調和機に発生する異常を検出する処理を示すフローチャート
【図９】実施の形態３において室内機の漏洩センサが冷媒の漏洩量を計測した計測結果の推移のイメージを示す図
【図１０】実施の形態３に係る空気調和機において、空気調和機に発生する異常を検出する処理を示すフローチャート
【発明を実施するための形態】
【０００９】
以下に、本発明の実施の形態に係る空気調和機を図面に基づいて詳細に説明する。なお、この実施の形態によりこの発明が限定されるものではない。
【００１０】
実施の形態１．
図１は、本発明の実施の形態１に係る空気調和機４の構成例を示す図である。空気調和機４は、図１に示す室内機１、室外機２、および図１において図示していない、室内機１に空調制御の指令をするリモートコントローラ（以下、リモコンとする。）を備える。室内機１は、例えば、室内の床に置かれる縦型タイプの室内機である。ここでは、室外機２は、１つの室内機１と接続しているが、複数の室内機１と接続する形態であってもよい。空気調和機４は、可燃性の冷媒、例えば、Ｒ３２を使用しているものとする。
【００１１】
図２は、実施の形態１に係る空気調和機４を構成する室内機１、室外機２、およびリモコン３の構成例を示すブロック図である。
【００１２】
室内機１は、室外機２との間で通信を行う通信部１１と、室内機１の動作を制御する制御部１２と、室内機１において冷媒の漏洩の異常を検出する漏洩センサ１３と、室内機１において冷媒の漏洩以外の異常、例えば室内機１内の温度などを検出するセンサ１４と、を備える。漏洩センサ１３は、例えば、ガスセンサである。または、漏洩センサ１３は、例えば、室内機１内において冷媒が流れる配管に設置され、配管の温度変化により冷媒の漏洩を検出するサーミスタである。漏洩センサ１３は第１のセンサであり、センサ１４は第２のセンサである。また、冷媒の漏洩の異常は第１の異常であり、冷媒の漏洩の異常ではないすなわち第１の異常以外の異常は第２の異常である。
【００１３】
また、室内機１は、制御部１２の空調制御などにおいて必要な制御情報を記憶する記憶部１５と、漏洩センサ１３またはセンサ１４などで検出された異常などを表示する表示部１６と、リモコン３との間で通信を行う通信部１７と、室内機１内の空気を巡回させるファン１８と、を備える。
【００１４】
室内機１は、各々が異なる異常を検出する複数のセンサ１４を備えてもよい。また、室内機１は、表示部１６を備えない構成にしてもよい。なお、図２では実施の形態１の動作に関わる構成のみを示しており、室内機として一般的な動作を行う構成については記載を省略している。
【００１５】
室外機２は、室内機１との間で通信を行う通信部２１と、室外機２の動作を制御する制御部２２と、室外機２において冷媒の漏洩以外の異常、例えば室外機２内の温度などを検出するセンサ２３と、センサ２３で検出された異常などを表示する表示部２４と、を備える。センサ２３は第２のセンサである。
【００１６】
室外機２は、各々が異なる異常を検出する複数のセンサ２３を備えてもよい。また、室外機２は、表示部２４を備えない構成にしてもよい。なお、図２では実施の形態１の動作に関わる構成のみを示しており、室外機として一般的な動作を行う構成については記載を省略している。
【００１７】
リモコン３は、室内機１との間で通信を行う通信部３１と、室内機１または室外機２で検出された異常などを表示する表示部３２と、を備える。
【００１８】
なお、図２では実施の形態１の動作に関わる構成のみを示しており、リモコンとして一般的な動作を行う構成については記載を省略している。
【００１９】
室内機１およびリモコン３については、有線で接続された構成でもよいし、有線で接続されていない構成でもよい。室内機１およびリモコン３が有線接続されている場合、室内機１の通信部１７およびリモコン３の通信部３１は、有線通信によって通信を行う。室内機１およびリモコン３が有線接続されていない場合、室内機１の通信部１７およびリモコン３の通信部３１は、無線通信によって通信を行う。
【００２０】
室内機１および室外機２は有線接続されている。室内機１の制御部１２は、通信部１１および室外機２の通信部２１を介して、室外機２の制御部２２との間で制御情報などの送受信を行う。また、室外機２の制御部２２は、センサ２３で検出された異常の情報を、通信部２１および室内機１の通信部１１を介して、室内機１の制御部１２へ送信する。室内機１の制御部１２は、室外機２の制御部２２から、室外機２のセンサ２３で検出された異常の情報を、通信部１１および室外機２の通信部２１を介して受信する。漏洩センサ１３、センサ１４、およびセンサ２３は、各々が異なる異常を検出するセンサである。
【００２１】
実施の形態１において、室内機１の制御部１２は、空気調和機４の運転状態に基づいて、空気調和機４が空調制御をしている運転時、空気調和機４の全てのセンサ、すなわち室内機１の漏洩センサ１３およびセンサ１４、室外機２のセンサ２３を動作させる。制御部１２は、室内機１の動作を制御していることから、空気調和機４の運転状態を認識することが可能である。
【００２２】
一方、制御部１２は、空気調和機４が空調制御をしていない非運転時すなわち停止時、室内機１の漏洩センサ１３を動作させ、室内機１のセンサ１４および室外機２のセンサ２３は動作させない。制御部１２は、可燃性の冷媒が漏洩した場合の使用者への影響を考慮して、空気調和機４が非運転時でも漏洩センサ１３を動作させ、冷媒の漏洩を検出できるようにする。制御部１２は、制御部１２に供給されている電力を、非運転時においても漏洩センサ１３に供給する。これにより、空気調和機４では、室内機１に電力が供給されている場合には、空調制御をしていない非運転時の状態であっても、漏洩センサ１３に電力を供給して動作させ、冷媒の漏洩を検出することが可能となる。
【００２３】
図３は、実施の形態１に係る空気調和機４において、空気調和機４に発生する異常を検出する処理を示すフローチャートである。
【００２４】
まず、室内機１の制御部１２は、空気調和機４が空調制御の非運転時すなわち停止中か否かを確認する（ステップＳ１）。停止中の場合（ステップＳ１：Ｙｅｓ）、制御部１２は、漏洩センサ１３を動作させる（ステップＳ２）。制御部１２は、漏洩センサ１３で冷媒の漏洩が検出されたか否かを確認する（ステップＳ３）。漏洩センサ１３において冷媒の漏洩が検出された場合（ステップＳ３：Ｙｅｓ）、制御部１２は、冷媒の漏洩が検出されたことを、室内機１の表示部１６、室外機２の表示部２４、リモコン３の表示部３２、のいずれかまたは全部に表示させる制御を行う（ステップＳ４）。また、制御部１２は、室内機１の内部に漏洩された冷媒が滞留することを防ぐため、室内機１のファン１８を回転すなわち駆動させる制御を行い（ステップＳ５）、処理を終了する。
【００２５】
ステップＳ３に戻って、漏洩センサ１３において冷媒の漏洩が検出されていない場合（ステップＳ３：Ｎｏ）、制御部１２は、処理を終了する。
【００２６】
ステップＳ１に戻って、空気調和機４が空調制御の運転中の場合（ステップＳ１：Ｎｏ）、制御部１２は、漏洩センサ１３、センサ１４、およびセンサ２３を動作させる（ステップＳ６）。制御部１２は、漏洩センサ１３、センサ１４、またはセンサ２３において異常が検出されたか否かを確認する（ステップＳ７）。漏洩センサ１３、センサ１４、またはセンサ２３において異常が検出された場合（ステップＳ７：Ｙｅｓ）、制御部１２は、異常が検出されたセンサに基づく異常の内容を、室内機１の表示部１６、室外機２の表示部２４、リモコン３の表示部３２、のいずれかまたは全部に表示させる制御を行う（ステップＳ８）。制御部１２は、検出された異常が漏洩センサ１３で検出された冷媒の漏洩であり（ステップＳ９：Ｙｅｓ）、室内機１のファン１８が停止中の場合（ステップＳ１０：Ｙｅｓ）、室内機１の内部に漏洩された冷媒が滞留することを防ぐため、室内機１のファン１８を回転すなわち駆動させる制御を行い（ステップＳ５）、処理を終了する。
【００２７】
制御部１２は、漏洩センサ１３、センサ１４、またはセンサ２３において異常が検出されていない場合（ステップＳ７：Ｎｏ）、処理を終了する。また、制御部１２は、検出された異常が漏洩センサ１３で検出された冷媒の漏洩ではない場合（ステップＳ９：Ｎｏ）、処理を終了する。また、制御部１２は、室内機１のファン１８が動作中の場合（ステップＳ１０：Ｎｏ）、処理を終了する。
【００２８】
制御部１２は、図３に示す空気調和機４に発生する異常を検出する処理を、常時または定期的に繰り返し実施する。
【００２９】
なお、室内機１では、ファン１８が動作中の場合、冷媒の漏洩があっても室内機１の内部に漏洩された冷媒が滞留しない。そのため、室内機１の制御部１２は、室内機１のファン１８が動作中のときは漏洩センサ１３に電力を供給せず、漏洩センサ１３の動作を停止してもよい。
【００３０】
つづいて、室内機１のハードウェア構成について説明する。室内機１において、通信部１１および通信部１７は、通信データを送受信可能なインタフェース回路により実現される。漏洩センサ１３およびセンサ１４は、計測器により実現される。記憶部１５は、メモリにより実現される。表示部１６は、ＬＥＤ（Light  Emitting  Diode）またはモニタなどにより実現される。ファン１８は、実際に回転するファン部分およびモータなどの駆動部分により実現される。制御部１２は、処理回路により実現される。すなわち、室内機１は、空気調和機４の運転状態によって漏洩センサ１３、センサ１４、およびセンサ２３を動作させるための処理回路を備える。処理回路は、メモリに格納されるプログラムを実行するＣＰＵ（Central  Processing  Unit）およびメモリであってもよいし、専用のハードウェアであってもよい。
【００３１】
図４は、実施の形態１にかかる室内機１の処置回路をＣＰＵ９１およびメモリ９２で構成する場合の例を示す図である。処理回路がＣＰＵ９１およびメモリ９２で構成される場合、制御部１２の各機能は、ソフトウェア、ファームウェア、またはソフトウェアとファームウェアとの組み合わせにより実現される。ソフトウェアまたはファームウェアはプログラムとして記述され、メモリ９２に格納される。処理回路では、メモリ９２に記憶されたプログラムをＣＰＵ９１が読み出して実行することにより、各機能を実現する。すなわち、室内機１は、制御部１２が処理回路により実行されるときに、空気調和機４の運転状態によって漏洩センサ１３、センサ１４、およびセンサ２３を動作させるステップが結果的に実行されることになるプログラムを格納するためのメモリ９２を備える。また、これらのプログラムは、室内機１の手順および方法をコンピュータに実行させるものであるともいえる。ここで、ＣＰＵ９１は、処理装置、演算装置、マイクロプロセッサ、マイクロコンピュータ、プロセッサ、またはＤＳＰ（Digital  Signal  Processor）などであってもよい。また、メモリ９２とは、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。メモリ９２は、記憶部１５を実現するメモリと同一であってもよい。
【００３２】
図５は、実施の形態１にかかる室内機１の処置回路を専用のハードウェアで構成する場合の例を示す図である。処理回路が専用のハードウェアである場合、図５に示す処理回路９３は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。制御部１２の各機能を機能別に処理回路９３で実現してもよいし、各機能をまとめて処理回路９３で実現してもよい。
【００３３】
なお、制御部１２の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００３４】
以上説明したように、本実施の形態によれば、室内機１の制御部１２は、空気調和機４が空調制御をしていない非運転時において、センサ１４，２３は動作させず、漏洩センサ１３に電源を供給して動作させることとした。これにより、空気調和機４は、非運転時においても、冷媒の漏洩を検出することができる。また、制御部１２は、空気調和機４の非運転時において、蓄電池を用いることなく漏洩センサ１３に電力を供給して漏洩センサ１３を動作させることから、使用者を煩わせることなく運用でき、使用者の利便性を向上することができる。空気調和機４は、一般の住宅において室内機１がコンセントに接続された状態であれば、空気調和機４の非運転時において冷媒の漏洩を検出できる。また、制御部１２は、空気調和機４の非運転時において、漏洩センサ１３以外のセンサ１４，２３については動作させない制御を行う。これにより、空気調和機４は、非運転時に全てのセンサを動作させる場合と比較して、消費電力を低減することができる。
【００３５】
なお、空気調和機４は、非運転時において、冷媒の漏洩のみを継続して検出するようにしたが、これに限定するものではない。一般的に、空気調和機４では、室内機１と室外機２との間では、定期的に通信を行って接続状態を確認している。そのため、空気調和機４は、非運転時において、室内機１と室外機２との間の通信異常についても検出するようにしてもよい。
【００３６】
また、空気調和機４において発生することが想定される異常、すなわち室内機１の漏洩センサ１３およびセンサ１４、室外機２のセンサ２３で検出される各異常について、予め空気調和機４に異常毎の重要度を設定しておいてもよい。重要度の情報については、空気調和機４の生産者が初期設定で予め記憶部１５に設定して記憶させておいてもよいし、空気調和機４の使用者が設定または初期設定を変更できるようにしてもよい。空気調和機４は、規定された重要度より大きい重要度の高い異常である第１の異常を検出する第１のセンサについては、運転時および非運転時において動作させ、規定された重要度より小さく、第１の異常より重要度の低い第２の異常を検出する第２のセンサについては運転時のみ動作させてもよい。例えば、空気調和機４において、センサ１３は第１のセンサであり、センサ１４，２３は第２のセンサである。空気調和機４は、運転時および非運転時に関わらず発生すると使用者にとって影響の大きい重要度の高い異常に対して、重要度の高い異常を検出可能なセンサを非運転時も動作させることで、使用者にとって影響の大きい異常を速やかに検出できる。
【００３７】
実施の形態２．
実施の形態２では、空気調和機４が空調制御の非運転時すなわち停止中において、制御部１２が、漏洩センサ１３を連続して、または間欠的に動作させる。実施の形態１と異なる部分について説明する。
【００３８】
室内機１、室外機２、およびリモコン３の構成は、実施の形態１と同様とする。図６は、一般的な電気製品などにおける故障率の推移を示す図である。電気製品などは、一般的に、組み立て時の作業に起因する製造要因、使用された部品に起因する部品要因、また空気調和機４のように建物に設置するものについては取り付け作業に起因する取付要因、などの理由によって、初期不良期間では故障率が高い傾向にある。また、電気製品などは、継続して使用されることによって劣化することから、製品そのものの寿命によって経年劣化期間では故障率が高い傾向にある。一方、初期不良期間と経年劣化期間との間の品質安定期間は、突発的な要因を除けば故障率は低く、品質的に安定した期間である。
【００３９】
図６に示す一般的な電気製品の不良率の特性をふまえて、室内機１の制御部１２は、空気調和機４が設置すなわち稼働してから初期不良期間の間、空気調和機４が非運転時のときにも連続して漏洩センサ１３を動作させる。
【００４０】
室内機１の制御部１２は、空気調和機４が稼働してから初期不良期間を経過して経年劣化期間に入るまでの品質安定期間の間、空気調和機４が非運転時のときは間欠的に漏洩センサ１３を動作させる。制御部１２は、一定の周期、例えば規定された時間の間隔で漏洩センサ１３を動作させる。制御部１２は、漏洩センサ１３を動作させない期間については、漏洩センサ１３への電力の供給を停止する。図７は、実施の形態２において制御部１２が漏洩センサ１３に供給する電力量のイメージを示す図である。制御部１２は、規定された周期すなわち時間間隔で漏洩センサ１３に電力を供給して漏洩センサ１３を動作させ、その他の期間では漏洩センサ１３に電力を供給せず漏洩センサ１３を動作させない。これにより、空気調和機４では、実施の形態１と比較して、空気調和機４の非運転時における電力の使用量を低減できる。
【００４１】
そして、室内機１の制御部１２は、空気調和機４が稼働してからの期間が経年劣化期間に入ると、空気調和機４が非運転時のときは連続して漏洩センサ１３を動作させる。
【００４２】
図６に示す初期不良期間、品質安定期間、経年劣化期間、および、図７に示す漏洩センサ１３に電力を供給する周期の情報、すなわち空気調和機４が非運転時において漏洩センサ１３を動作させる期間の情報については、室内機１の記憶部１５において、制御情報として記憶されているものとする。制御部１２は、記憶部１５に記憶されている制御情報に基づいて、前述のように、漏洩センサ１３を連続して、または間欠的に動作させる制御を行う。
【００４３】
図８は、実施の形態２に係る空気調和機４において、空気調和機４に発生する異常を検出する処理を示すフローチャートである。室内機１の制御部１２は、空気調和機４が停止中の場合（ステップＳ１：Ｙｅｓ）、漏洩センサ１３を動作させる期間か否かを確認する（ステップＳ２１）。
【００４４】
制御部１２は、記憶部１５に記憶されている制御情報、詳細には図６に示す初期不良期間、品質安定期間、経年劣化期間の情報、および図７に示す漏洩センサ１３に電力を供給する周期の情報を参照する。制御部１２は、初期不良期間のとき、経年劣化期間のとき、および品質安定期間において図７に示す漏洩センサ１３へ電力を供給する期間のときは漏洩センサ１３を動作させる期間と判定し、品質安定期間において図７に示す漏洩センサ１３へ電力を供給しない期間のときは漏洩センサ１３を動作させない期間と判定する。漏洩センサ１３を動作させる期間の場合（ステップＳ２１：Ｙｅｓ）、制御部１２は、漏洩センサ１３を動作させる（ステップＳ２）。漏洩センサ１３を動作させない期間の場合（ステップＳ２１：Ｎｏ）、制御部１２は、処理を終了する。
【００４５】
図８に示すその他の処理は、実施の形態１で示した図３のフローチャートの処理と同様である。
【００４６】
以上説明したように、本実施の形態によれば、室内機１の制御部１２は、空気調和機４が空調制御をしていない非運転時において、制御情報に基づいて、空気調和機４が稼働してからの期間によって、漏洩センサ１３を連続して、または間欠的に動作させることとした。これにより、制御部１２は、冷媒の漏洩が検出される可能性の低い期間は漏洩センサ１３を間欠的に動作させ、冷媒の漏洩が検出される可能性の高い期間は漏洩センサ１３を連続して動作させることで、実施の形態１と比較して、空気調和機４の非運転時の電力使用量を低減することができる。
【００４７】
実施の形態３．
実施の形態３では、空気調和機４が空調制御の非運転時すなわち停止中において、制御部１２が、実施の形態２と異なる制御によって、漏洩センサ１３を連続して、または間欠的に動作させる。実施の形態１，２と異なる部分について説明する。
【００４８】
室内機１、室外機２、およびリモコン３の構成は、実施の形態１と同様とする。図９は、実施の形態３において室内機１の漏洩センサ１３が冷媒の漏洩量を計測した計測結果の推移のイメージを示す図である。漏洩センサ１３は、冷媒の漏洩を検出するタイミングで、冷媒の漏洩量を計測する。
【００４９】
図９において、第２の閾値は、漏洩センサ１３で計測された冷媒の漏洩量が第２の閾値を超えた場合に、制御部１２において冷媒が漏洩したと判定するための閾値である。
【００５０】
また、図９において、第１の閾値は、第２の閾値よりも小さい閾値であって、漏洩センサ１３で計測された冷媒の漏洩量が第１の閾値を超えた場合に、制御部１２において漏洩センサ１３の動作方法を切り替えるための制御に使用する閾値である。
【００５１】
漏洩センサ１３で計測された冷媒の漏洩量が第１の閾値を超えていない場合、すぐに冷媒の漏洩量が第２の閾値を超えることはないと考えられることから、制御部１２は、次の冷媒の漏洩量の計測については間隔をおいて、すなわち間欠的に実施する。間欠的にする期間については、実施の形態２と同様でよい。
【００５２】
一方、漏洩センサ１３で検出された冷媒の漏洩量が第１の閾値を超えた場合、今後冷媒の漏洩量が第２の閾値を超える可能性があると考えられることから、制御部１２は、次の冷媒の漏洩量の計測については間隔をおかず、すなわち連続して実施する。
【００５３】
制御部１２は、冷媒の漏洩量が第１の閾値を超えて連続して冷媒の漏洩量を計測した後であっても、冷媒の漏洩量が第１の閾値を下回った場合には、次の冷媒の漏洩量の計測については間隔をおいて、すなわち間欠的に実施するように戻してもよい。
【００５４】
図９に示す第１の閾値、および第２の閾値の情報、すなわち空気調和機４が非運転時において漏洩センサ１３を動作させる期間の情報については、室内機１の記憶部１５において、制御情報として記憶されているものとする。制御部１２は、記憶部１５に記憶されている制御情報に基づいて、前述のように、漏洩センサ１３を連続して、または間欠的に動作させる制御を行う。
【００５５】
図１０は、実施の形態３に係る空気調和機４において、空気調和機４に発生する異常を検出する処理を示すフローチャートである。漏洩センサ１３において冷媒の漏洩が検出されていない場合（ステップＳ３：Ｎｏ）、制御部１２は、漏洩センサ１３で計測された冷媒の漏洩量が第１の閾値を超えているか否かを確認する（ステップＳ３１）。
【００５６】
漏洩センサ１３で計測された冷媒の漏洩量が第１の閾値を超えている場合（ステップＳ３１：Ｙｅｓ）、制御部１２は、連続して漏洩センサ１３を動作させる（ステップＳ３２）。すなわち、制御部１２は、次の冷媒の漏洩量の計測については間隔をおかず、連続して実施する。
【００５７】
漏洩センサ１３で計測された冷媒の漏洩量が第１の閾値を超えていない場合（ステップＳ３１：Ｎｏ）、制御部１２は、間欠的に漏洩センサ１３を動作させる（ステップＳ３３）。すなわち、制御部１２は、次の冷媒の漏洩量の計測については間隔をおいて、間欠的に実施する。
【００５８】
図１０に示すその他の処理は、実施の形態２で示した図８のフローチャートの処理と同様である。
【００５９】
以上説明したように、本実施の形態によれば、室内機１の制御部１２は、空気調和機４が空調制御をしていない非運転時において、制御情報に基づいて、漏洩センサ１３において前回計測された冷媒の漏洩量によって、漏洩センサ１３を連続して、または間欠的に動作させることとした。これにより、制御部１２は、冷媒の漏洩が検出される可能性の低い期間は漏洩センサ１３を間欠的に動作させ、冷媒の漏洩が検出される可能性の高い期間は漏洩センサ１３を連続して動作させることで、実施の形態２と同様、空気調和機４の非運転時の電力使用量を低減することができる。
【００６０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６１】
１  室内機、２  室外機、３  リモートコントローラ（リモコン）、４  空気調和機、１１，１７，２１，３１  通信部、１２，２２  制御部、１３  漏洩センサ、１４，２３  センサ、１５  記憶部、１６，２４，３２  表示部、１８  ファン。
【図１】
2017195367.tif 000003
【図２】
2017195367.tif 000004
【図３】
2017195367.tif 000005
【図４】
2017195367.tif 000006
【図５】
2017195367.tif 000007
【図６】
2017195367.tif 000008
【図７】
2017195367.tif 000009
【図８】
2017195367.tif 000010
【図９】
2017195367.tif 000011
【図１０】
2017195367.tif 000012
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
室内機、室外機、および前記室内機に空調制御の指令をするリモートコントローラを含む空気調和機であって、
前記室内機において冷媒の漏洩の異常である第１の異常を検出する第１のセンサと、
前記第１の異常以外の異常である第２の異常を検出する第２のセンサと、
前記空気調和機が空調制御をしている運転時は前記第１のセンサおよび前記第２のセンサを動作させ、前記空気調和機が空調制御をしていない非運転時は前記第１のセンサを動作させる制御部と、
前記空気調和機が非運転時において前記第１のセンサを動作させる期間の情報を含む制御情報を記憶する記憶部と、
を備え、
前記制御部は、前記空気調和機が非運転時の場合、前記制御情報を参照し、前記第１のセンサにおいて前回計測された冷媒の漏洩量が、冷媒が漏洩したと判定するための閾値である第２の閾値を超えず前記第２の閾値よりも小さい閾値である第１の閾値を超えたときは前記第１のセンサを連続して動作させ、前記第１の閾値を超えないときは間欠的に動作させる、
ことを特徴とする空気調和機。
【請求項２】
前記制御部は、前記第１の異常または前記第２の異常を、前記室内機、前記室外機、または前記リモートコントローラが備える表示部に表示させる、
ことを特徴とする請求項１に記載の空気調和機。
【請求項３】
前記制御部は、前記第１の異常が検出された場合、前記室内機が備えるファンが停止しているときは前記ファンを駆動させる制御を行う、
ことを特徴とする請求項１または２に記載の空気調和機。
【請求項４】
前記第１のセンサは、ガスセンサ、または、前記冷媒が流れる配管に設置され、前記配管の温度変化により前記冷媒の漏洩を検出するサーミスタである、
ことを特徴とする請求項１から３のいずれか１つに記載の空気調和機。
【請求項５】
室内機、室外機、および前記室内機に空調制御の指令をするリモートコントローラを含む空気調和機であって、
前記空気調和機で発生する異常について、異常毎の重要度が設定されている場合に、
規定された重要度より大きい重要度の高い異常である第１の異常を検出する第１のセンサと、
前記規定された重要度より小さく、前記第１の異常より重要度の低い第２の異常を検出する第２のセンサと、
前記空気調和機が空調制御をしている運転時は前記第１のセンサおよび前記第２のセンサを動作させ、前記空気調和機が空調制御をしていない非運転時は前記第１のセンサを動作させる制御部と、
前記空気調和機が非運転時において前記第１のセンサを動作させる期間の情報を含む制御情報を記憶する記憶部と、
を備え、
前記制御部は、前記空気調和機が非運転時の場合、前記制御情報を参照し、前記第１のセンサにおいて前回計測された計測値が、前記第１の異常が発生したことを判定するための閾値である第２の閾値を超えず前記第２の閾値よりも小さい閾値である第１の閾値を超えたときは前記第１のセンサを連続して動作させ、前記第１の閾値を超えないときは間欠的に動作させる、
ことを特徴とする空気調和機。
【手続補正２】
【補正対象書類名】明細書
【補正対象項目名】０００６
【補正方法】変更
【補正の内容】
【０００６】
上述した課題を解決し、目的を達成するために、本発明に係る空気調和機は、室内機、室外機、および室内機に空調制御の指令をするリモートコントローラを含む。空気調和機は、室内機において冷媒の漏洩の異常である第１の異常を検出する第１のセンサを備える。また、空気調和機は、第１の異常以外の異常である第２の異常を検出する第２のセンサを備える。また、空気調和機は、空気調和機が空調制御をしている運転時は第１のセンサおよび第２のセンサを動作させ、空気調和機が空調制御をしていない非運転時は第１のセンサを動作させる制御部を備える。また、空気調和機は、空気調和機が非運転時において第１のセンサを動作させる期間の情報を含む制御情報を記憶する記憶部を備える。制御部は、空気調和機が非運転時の場合、制御情報を参照し、第１のセンサにおいて前回計測された冷媒の漏洩量が、冷媒が漏洩したと判定するための閾値である第２の閾値を超えず第２の閾値よりも小さい閾値である第１の閾値を超えたときは第１のセンサを連続して動作させ、第１の閾値を超えないときは間欠的に動作させる、ことを特徴とする。
【国際調査報告】
2017195367.tif 000013
2017195367.tif 000014
2017195367.tif 000015
2017195367.tif 000016